(57)【要約】【課題】ユーザーの要望に対応して手軽にカスタマイズして導入するとともに、所定時刻に所定の内容を簡単に音声出力して周囲に通知する、または、所定時刻の所定のセンサーのセンシング状況を所定の連絡先へ簡単に通知することができる通知システムを提供する。【解決手段】通知システム１００は、所定のセンサー（１１０Ａ〜１１０Ｇ）と、所定のセンサー（１１０Ａ〜１１０Ｇ）と通信自在である制御端末（１２０）とを備え、制御端末（１２０）が、時間制御部を有し、所定時刻になったと判定した場合、所定のファイルの内容を所定のスピーカを用いて音声案内する、または所定のセンサーのセンシング状況を所定の連絡先へ通知する構成であり、所定時刻、所定のファイルおよび所定のスピーカ、または所定のセンサー（１１０Ａ〜１１０Ｇ）および所定の連絡先が、制御端末（１２０）の表示画面１２１上において設定自在な構成である。【選択図】図１
2019146053.tif 000002
【特許請求の範囲】
【請求項１】
所定のセンサーと、所定のセンサーと通信自在である制御端末とを備えた通知システムであって、
前記制御端末が、時間制御部を有し、所定時刻になったと判定した場合、所定のファイルの内容を所定のスピーカを用いて音声案内する、または所定のセンサーのセンシング状況を所定の連絡先へ通知する構成であり、
前記所定時刻、所定のファイルおよび所定のスピーカ、または所定のセンサーおよび所定の連絡先が、前記制御端末の表示画面上において設定自在な構成であることを特徴とする通知システム。
【請求項２】
前記制御端末が、所定時刻になったと判定した場合、所定のファイルの内容を所定のスピーカを用いて音声案内する構成であり、
前記所定のファイルの内容が、チャイム、音楽、ラジオ体操、業務連絡のいずれかであることを特徴とする請求項１に記載の通知システム。
【請求項３】
前記制御端末が、所定時刻になったと判定した場合、所定のセンサーのセンシング状況を所定の連絡先へ通知する構成であり、
前記所定のセンサーが、照度センサーまたは温度・湿度センサーであることを特徴とする請求項１に記載の通知システム。
【請求項４】
人工知能画像認識手段をさらに有し、
前記所定のセンサーが、画像センサーであり、
前記制御端末が、所定時刻になったと判定した場合、画像センサーにより撮影した画像データを人工知能画像認識手段へ伝え、人工知能画像認識手段からのフィードバック情報を受け取り、フィードバック情報が所定の条件を満たしている、または満たしていない場合、所定の連絡先へ所定の内容を通知する構成であることを特徴とする請求項１に記載の通知システム。
【発明の詳細な説明】
【技術分野】
【０００１】
本発明は、所定のセンサーと、所定のセンサーと通信自在である制御端末とを備えた通知システムに関する。
【背景技術】
【０００２】
従来、１又は複数のセンサーと、複数の位置各々と報知タイミングとの対応を示す予め定められたタイミング情報を記憶する記憶部と、センサーにより検知された、住宅に設置されたコンロの状態を示すコンロ情報と居住者の所在位置を示す位置情報とを取得する取得部と、タイミング情報に従い、取得部により取得されたコンロ情報及び位置情報に基づいて、コンロが点火している場合に居住者の所在位置に応じた報知タイミングで報知が行われるように制御する制御部とを含み、住宅の居住者を見守り、一定条件下で報知を行う見守りシステムが知られている（例えば、特許文献１）。
【先行技術文献】
【特許文献】
【０００３】
【特許文献１】特開２０１６−１０３０８３号公報
【発明の概要】
【発明が解決しようとする課題】
【０００４】
しかしながら、上述した従来の見守りシステムは、ユーザーの要望に応じてカスタマイズすることが困難であったため、ユーザーの要望に対応して手軽に導入することが困難であるという問題があった。
【０００５】
そこで、本発明は、前述したような従来技術の問題を解決するものであって、すなわち、本発明の目的は、ユーザーの要望に対応して手軽にカスタマイズして導入するとともに、所定時刻に所定の内容を簡単に音声出力して周囲に通知する、または、所定時刻の所定のセンサーのセンシング状況を所定の連絡先へ簡単に通知することができる通知システムを提供することである。
【課題を解決するための手段】
【０００６】
本請求項１に係る発明は、所定のセンサーと、所定のセンサーと通信自在である制御端末とを備えた通知システムであって、前記制御端末が、時間制御部を有し、所定時刻になったと判定した場合、所定のファイルの内容を所定のスピーカを用いて音声案内する、または所定のセンサーのセンシング状況を所定の連絡先へ通知する構成であり、前記所定時刻、所定のファイルおよび所定のスピーカ、または所定のセンサーおよび所定の連絡先が、前記制御端末の表示画面上において設定自在な構成であることにより、前述した課題を解決するものである。
【０００７】
本請求項２に係る発明は、請求項１に記載された通知システムの構成に加えて、前記制御端末が、所定時刻になったと判定した場合、所定のファイルの内容を所定のスピーカを用いて音声案内する構成であり、前記所定のファイルの内容が、チャイム、音楽、ラジオ体操、業務連絡のいずれかであることにより、前述した課題をさらに解決するものである。
【０００８】
本請求項３に係る発明は、請求項１に記載された通知システムの構成に加えて、前記制御端末が、所定時刻になったと判定した場合、所定のセンサーのセンシング状況を所定の連絡先へ通知する構成であり、前記所定のセンサーが、照度センサーまたは温度・湿度センサーであることにより、前述した課題をさらに解決するものである。
【０００９】
本請求項４に係る発明は、請求項１に記載された通知システムの構成に加えて、人工知能画像認識手段をさらに有し、前記所定のセンサーが、画像センサーであり、前記制御端末が、所定時刻になったと判定した場合、画像センサーにより撮影した画像データを人工知能画像認識手段へ伝え、人工知能画像認識手段からのフィードバック情報を受け取り、フィードバック情報が所定の条件を満たしている、または満たしていない場合、所定の連絡先へ所定の内容を通知する構成であることにより、前述した課題をさらに解決するものである。
【発明の効果】
【００１０】
本発明の通知システムは、所定のセンサーを有していることにより、センシング状況の変化を検知することができるばかりでなく、以下のような特有の効果を奏することができる。
【００１１】
本請求項１に係る発明の通知システムによれば、所定時刻、所定のファイル、所定のスピーカ、所定のセンサー、所定の連絡先が制御端末の表示画面上において設定自在なため、ユーザーの要望に対応して手軽にカスタマイズして導入することができる。
さらに、音声案内する構成の場合、所定時刻に所定のファイルの内容が所定のスピーカで出力されるため、所定時刻に所定の内容を簡単に音声出力して周囲に通知することができる。
また、センシング状況を通知する構成の場合、所定時刻に所定のセンサーのセンシング状況が所定の連絡先へ通知されるため、所定時刻のセンシング状況を簡単に通知することができる。
【００１２】
本請求項２に係る発明の通知システムによれば、請求項１に係る発明が奏する効果に加えて、会社内や学校内において多数の人に対して同時に音声で通知されるため、チャイムなどを簡単に設定することができる。
【００１３】
本請求項３に係る発明の通知システムによれば、請求項１に係る発明が奏する効果に加えて、所定のセンサーが照度センサーである場合、所定時刻になったときに照度センサーのセンシング状況が通知されるため、照明機器がＯＮになったままか否かを管理者が知ることができ照明機器の消し忘れの確認をすることができる。
また、所定のセンサーが温度・湿度センサーである場合、所定時刻になったときに温度・湿度センサーのセンシング状況が通知されるため、エアコン機器がＯＮになったままか否かを管理者が知ることができエアコン機器の消し忘れの確認をすることができる。
【００１４】
本請求項４に係る発明の通知システムによれば、請求項１に係る発明が奏する効果に加えて、例えば、画像センサーを商品棚に設置して商品が撮影されるようにしておくことで、所定時刻になったときに、商品のおおよその個数を人工知能画像認識手段によって判定してもらい、設定された条件より少なかった場合、発注先へ発注の連絡が通知されるため、簡単に自動で発注させることができる。
また、所定時刻になったときに発注するか否かを制御端末が決定するため、重複発注や発注漏れなどの発注ミスを回避することができる。
【図面の簡単な説明】
【００１５】
【図１】本発明の第１実施例である通知システムを示す概念図。
【図２】（Ａ）（Ｂ）は本発明の第１実施例の通知システムの設置場所を示す図および動作を示すチャート図。
【図３】（Ａ）（Ｂ）は本発明の第２実施例の通知システムの設置場所を示す図および動作を示すチャート図。
【図４】（Ａ）（Ｂ）は本発明の第３実施例の通知システムの設置場所を示す図および動作を示すチャート図。
【発明を実施するための形態】
【００１６】
本発明の通知システムは、所定のセンサーと、所定のセンサーと通信自在である制御端末とを備え、制御端末が、時間制御部を有し、所定時刻になったと判定した場合、所定のファイルの内容を所定のスピーカを用いて音声案内する、または所定のセンサーのセンシング状況を所定の連絡先へ通知する構成であり、所定時刻、所定のファイルおよび所定のスピーカ、または所定のセンサーおよび所定の連絡先が、制御端末の表示画面上において設定自在な構成であることにより、ユーザーの要望に対応して手軽にカスタマイズして導入することができ、所定時刻に所定の内容を簡単に音声出力して周囲に通知することができる、または、所定時刻のセンシング状況を簡単に通知することができるものであれば、その具体的な実施態様は、如何なるものであっても構わない。
【００１７】
例えば、所定のセンサーは、入力信号に変換できるものであれば、ボタンセンサー、所謂、人感センサーである焦電センサー、所謂、動きセンサーである加速度センサーやジャイロセンサー、照度センサー、温度・湿度センサー、所謂、マイクである音声センサー、外部接続可能でセンサー機能を拡張する外部接続拡張センサー、所謂、カメラである画像センサーなど、如何なるものであっても構わない。
また、制御端末は、所定のセンサーと通信自在であればよく、スマートフォン端末、タブレット端末、コンピュータ端末など、如何なるものであっても構わない。
【実施例１】
【００１８】
以下に、本発明の第１実施例である通知システム１００について、図１乃至図２（Ｂ）に基づいて説明する。
ここで、図１は、本発明の第１実施例である通知システム１００を示す概念図であり、図２（Ａ）は、本発明の第１実施例の通知システム１００の設置場所を示す図であり、図２（Ｂ）は、本発明の第１実施例の通知システム１００の動作を示すチャート図である。
【００１９】
本発明の第１実施例である通知システム１００は、図１に示すように、所定のセンサーの一例であるボタンセンサー１１０Ａ、人感センサー１１０Ｂ、動きセンサー１１０Ｃ、照度センサー１１０Ｄ、温度・湿度センサー１１０Ｅ、外部接続可能でセンサー機能を拡張する外部接続拡張センサー１１０Ｆと、カメラである画像センサー１１０Ｇと、制御端末（通知・記録手段）の一例であるタブレット端末１２０とを有している。
制御端末であるタブレット端末１２０は、時計機能である時間制御部を有し、所定時刻になったと判定した場合、所定のファイルの内容を所定のスピーカを用いて音声案内する、または所定のセンサーのセンシング状況を所定の連絡先へ通知するように構成されている。
例えば、所定のセンサーとタブレット端末１２０とを連携させる場合、先ず、タブレット端末１２０においてアプリケーションソフトウェアを起動させ、ボタンセンサー１１０Ａと、タブレット端末１２０とを互いに認識させるペアリング操作をする。
【００２０】
各センサー１１０Ａ〜１１０Ｇおよびタブレット端末１２０は、通信手段および電源をそれぞれ有しているため、センサー１１０Ａ〜１１０Ｇとタブレット端末１２０との間でデータ通信を行うことができる。
次に、アプリケーションソフトウェアを用いてタブレット端末１２０の表示画面１２１で、センサーのタグやその他のタグを表示させる。
ここでは、時計タグを表示させる。
さらに、スピーカタグおよび電子メールタグを表示させる。
そして、タブレット端末１２０の表示画面１２１上において、時計タグと、スピーカタグおよび電子メールタグとをそれぞれ接続する。
また、時計タグで、条件設定として所定時刻を選択設定する。
【００２１】
スピーカタグで、条件設定としてタブレット端末１２０のスピーカを選択設定するとともに、再生する音声データを選択設定する。
電子メールタグで、条件設定として所定の連絡先の一例であるコンピュータ端末のメールアドレスを設定するとともに、送る内容を設定する。
これにより、所定時刻になったとき、設定された音声データの音声がタブレット端末１２０のスピーカから発せられる。
【００２２】
さらに、コンピュータ端末に所定のメッセージの電子メールが送られる。
この際、非同期処理であってI/Oの結果を待たずに処理を進めるチャット用サーバを介してコンピュータから他のコンピュータへデータを送信し、所謂、プッシュ通知するチャットアプリケーションで通知する構成としてもよい。
なお、タブレット端末１２０には、内蔵画像センサー１２２が設けられている。
そして、画像センサー１１０Ｇと、内蔵画像センサー１２２とが選択自在に構成されている。
【００２３】
続いて、通知システム１００を一例として会社のオフィスに設置した場合について説明する。
図２（Ａ）に示すように、タブレット端末１２０が、オフィスに設置されている。
そして、所定の連絡先として、所定のコンピュータ端末のチャットＩＤや電子メールアドレスが設定されているとする。
【００２４】
図２（Ｂ）に示すように、ステップＳ１では、タブレット端末１２０の時間制御部（アプリケーションソフトウェア）が、所定時刻になったか否かを判定する。
そして、所定時刻になったと判定した場合はステップＳ２へ進み、否と判定した場合はステップＳ１を繰り返す。
ステップＳ２では、制御端末であるタブレット端末１２０が、所定の内容の一例として「みなさん、お疲れさまです！  ちょっと一息ついて、音楽に合わせて体操をしましょう！」の旨の音声メッセージおよびラジオ体操の曲をタブレット端末１２０のスピーカを用いて出力する。
これにより、会社内や学校内において多数の人に対して同時に音声で通知される。
【００２５】
さらに、タブレット端末１２０が、所定のコンピュータ端末に、一例として「みなさん、お疲れさまです！  ちょっと一息ついて、動画に合わせて体操をしましょう！」のメッセージデータをチャットアプリケーションソフトウェア上で送信する。このとき、体操の動画データも送信してもよいし、所定のコンピュータ端末において動画を再生するように操作してもよい。
これにより、聴力の弱い（耳の不自由な）従業員にも体操タイムの旨が通知される。
【００２６】
なお、所定の内容の一例としてラジオ体操タイムの旨を挙げて説明したが、その他の内容でもよいのは勿論である。
例えば、所定時刻に音声通知される所定の内容は、チャイム、音楽、業務連絡でもよい。
【００２７】
このようにして得られた本発明の第１実施例である通知システム１００は、所定のセンサーと、所定のセンサーと通信自在である制御端末の一例であるタブレット端末１２０とを備え、タブレット端末１２０が、時間制御部を有し、所定時刻になったと判定した場合、所定のファイルの内容を所定のスピーカを用いて音声案内する、または所定のセンサーのセンシング状況を所定の連絡先へ通知する構成であり、所定時刻、所定のファイルおよび所定のスピーカ、または所定のセンサーおよび所定の連絡先が、タブレット端末１２０の表示画面１２１上において設定自在な構成であることにより、ユーザーの要望に対応して手軽にカスタマイズして導入することができ、所定時刻に所定の内容を簡単に音声出力して周囲に通知することができる、または、所定時刻のセンシング状況を簡単に通知することができる。
【００２８】
さらに、タブレット端末１２０が、所定時刻になったと判定した場合、所定のファイルの内容を所定のスピーカを用いて音声案内する構成であり、所定のファイルの内容が、チャイム、音楽、ラジオ体操、業務連絡のいずれかであることにより、チャイムなどを簡単に設定することができるなど、その効果は甚大である。
【実施例２】
【００２９】
続いて、本発明の第２実施例である通知システム１００について、図３（Ａ）および図３（Ｂ）に基づいて説明する。
ここで、図３（Ａ）は、本発明の第２実施例の通知システム１００の設置場所を示す図であり、図３（Ｂ）は、本発明の第２実施例の通知システム１００の動作を示すチャート図である。
第２実施例の通知システム１００は、第１実施例の通知システム１００の用途を照明機器スイッチの消し忘れの確認としたものであり、多くの要素について第１実施例の通知システム１００と共通するので、共通する事項については詳しい説明を省略する。
【００３０】
図３（Ａ）に示すように、通知システム１００の所定のセンサーの一例である照度センサー１１０Ｄが、一例として会社のオフィスの会議室ＭＲ内に設置されている。
そして、照度センサー１１０Ｄは、タブレット端末１２０の求めに応じて、会議室ＭＲの照度を検出して、タブレット端末１２０へセンシング状況（照度値）を送信するように構成されている。
さらに、タブレット端末１２０が、所定の連絡先の一例として所定のスマートフォン端末へセンシング状況（照度値）を送信する、または、照度値が所定の閾値を超えているか否かに基づいて照明ＯＮまたは照明ＯＦＦを推定して照明ＯＮの旨または照明ＯＦＦの旨を送信するように構成されている。
【００３１】
図３（Ｂ）に示すように、ステップＳ１１では、タブレット端末１２０の時間制御部（アプリケーションソフトウェア）が、所定時刻として例えば午後１０：００になったか否かを判定する。
そして、午後１０：００になったと判定した場合はステップＳ１２へ進み、否と判定した場合はステップＳ１１を繰り返す。
ステップＳ１２では、タブレット端末１２０（アプリケーションソフトウェア）が、照度センサー１１０Ｄと無線通信して、照度センサー１１０Ｄから現在のセンシング状況（照度値）を取得し、ステップＳ１３へ進む。
【００３２】
ステップＳ１３では、タブレット端末１２０（アプリケーションソフトウェア）が、所定の連絡先である所定のスマートフォン端末へ現在のセンシング状況（照度値）を送信する。
これにより、所定時刻になったときに照度センサー１１０Ｄのセンシング状況が通知される。
【００３３】
なお、この際、照度値が所定の閾値を超えているか否かに基づいて、タブレット端末１２０の制御部が、照明ＯＮまたは照明ＯＦＦを推定して照明ＯＮの旨または照明ＯＦＦの旨を送信するように構成してもよい。
また、照明ＯＮを推定した場合のみ、消し忘れの旨を所定の連絡先である所定のスマートフォン端末へ通知するように構成してもよい。
また、照度センサー１１０Ｄを用いて会議室ＭＲの照度値が変化したことを検知したが、照度センサー１１０Ｄを温度・湿度センサー１１０Ｅに変えて会議室ＭＲの温度・湿度の変化を検知するように構成してもよい。
温度・湿度センサー１１０Ｅの場合、エアコン機器（空気調和設備ともいう）の運転の有無を推定することができる。
さらに、タブレット端末１２０が、所定時刻に照明機器ＯＮであると推定した場合、照明機器ＬＴの制御部に対してスイッチＯＦＦの指令を送信するように構成してもよい。
同様に、タブレット端末１２０が、所定時刻にエアコン機器ＯＮであると推定した場合、エアコン機器の制御部に対してスイッチＯＦＦの指令を送信するように構成してもよい。
【００３４】
このようにして得られた本発明の第２実施例である通知システム１００は、タブレット端末１２０が、所定時刻になったと判定した場合、所定のセンサーのセンシング状況を所定の連絡先へ通知する構成であり、所定のセンサーが、照度センサー１１０Ｄまたは温度・湿度センサー１１０Ｅであることにより、所定のセンサーが照度センサー１１０Ｄである場合、所定時刻になったときに照明機器ＬＴがＯＮになったままか否かを管理者が知ることができ照明機器ＬＴの消し忘れの確認をすることができ、所定のセンサーが温度・湿度センサー１１０Ｅである場合、所定時刻になったときにエアコン機器がＯＮになったままか否かを管理者が知ることができエアコン機器の消し忘れの確認をすることができるなど、その効果は甚大である。
【実施例３】
【００３５】
続いて、本発明の第３実施例である通知システム１００について、図４（Ａ）および図４（Ｂ）に基づいて説明する。
ここで、図４（Ａ）は、本発明の第３実施例の通知システム１００の設置場所を示す図であり、図４（Ｂ）は、本発明の第３実施例の通知システム１００の動作を示すチャート図である。
第３実施例の通知システム１００は、第１実施例の通知システム１００の用途を商品在庫の確認および発注としたものであり、多くの要素について第１実施例および第２実施例の通知システム１００と共通するので、共通する事項については詳しい説明を省略する。
【００３６】
図４（Ａ）に示すように、通知システム１００の所定のセンサーの一例である画像センサー１１０Ｇ（カメラ）が、商品棚に設置されている。
そして、画像センサー１１０Ｇは、商品棚に置かれた商品Ａの包装箱ＢＸを撮影自在に構成され、タブレット端末１２０の求めに応じて、商品Ａの包装箱ＢＸを撮影して、タブレット端末１２０へセンシング状況（画像データ）を送信するように構成されている。
さらに、タブレット端末１２０が、受信した画像データを、所定の連絡先の一例としてサーバにある人工知能画像認識手段に伝えるように構成されている。
人工知能画像認識手段には、クラウド（サーバ）上で提供されているアプリケーションプログラミングインタフェース（Application Programming Interface、以下ＡＰＩという）で、写真に写っている人物の感情を認識するものや、写真に写っている人物の顔から性別、年齢、服装、行っている動作、著名人や登録されている人物であれば名前、などを認識するもの、写真に写っている物、個数を認識するものがある。
予め撮影した商品Ａの包装箱ＢＸの画像データをデータベースに登録してあるものとする。
【００３７】
より具体的に、タブレット端末１２０の制御部は、無線通信を用いて、画像データをクラウド（サーバ）上のＡＰＩへアップロードして画像データを伝える。
すると、タブレット端末１２０の制御部は、瞬時にＡＰＩからフィードバック情報を受け取る。
具体的には、ＡＰＩに伝えた画像データに何が写っているかについての情報を受ける。
つまり、何の商品がいくつあるかについての推定情報がフィードバックされる。
その結果、商品棚に何の商品がいくつあるかを簡単に特定することができる。
【００３８】
図４（Ｂ）に示すように、ステップＳ２１では、タブレット端末１２０の時間制御部（アプリケーションソフトウェア）が、所定時刻として例えば午後３：００になったか否かを判定する。
そして、午後３：００になったと判定した場合はステップＳ２２へ進み、否と判定した場合はステップＳ２１を繰り返す。
ステップＳ２２では、タブレット端末１２０（アプリケーションソフトウェア）が、画像センサー１１０Ｇと無線通信して、画像センサー１１０Ｇから現在のセンシング状況（画像データ）を取得する。
そして、取得した画像データをクラウド（サーバ）上のＡＰＩへアップロードして画像データを人工知能画像認識手段に伝え、瞬時にＡＰＩからフィードバック情報を受け取り、ステップＳ２３へ進む。
【００３９】
ステップＳ２３では、タブレット端末１２０（アプリケーションソフトウェア）が、フィードバック情報に基づいた商品Ａの包装箱ＢＸの個数と、望ましい在庫数として設定された閾値である所定数とを比べる。
フィードバック情報に基づいた商品Ａの包装箱ＢＸの個数が、所定数より少ないとタブレット端末１２０（アプリケーションソフトウェア）が判定した場合はステップＳ２４へ進み、所定数以上であると判定した場合はプロセス（シーケンス）を終了する。
【００４０】
ステップＳ２４では、タブレット端末１２０（アプリケーションソフトウェア）が、所定の連絡先の一例である発注先のコンピュータ端末へ、商品Ａについての発注の連絡をする。
この際、フィードバック情報に基づいた商品Ａの包装箱ＢＸの個数と、望ましい在庫数として設定された閾値である所定数との差分を発注数とすることが望ましい。
これにより、所定時刻になったときに発注するか否かを制御端末が決定する。
その結果、重複発注や発注漏れなどの発注ミスを回避することができる。
さらに、商品のおおよその個数を人工知能画像認識手段によって判定してもらい、設定された条件より少なかった場合、発注先へ発注の連絡が自動で送信される。
その結果、簡単に自動で発注させることができる。
【００４１】
なお、一例として、商品棚の商品在庫の確認、発注についての用途として説明したが、他の用途でもよい。
例えば、学校の教室の教壇側に画像センサー１１０Ｇを設置して、画像センサー１１０Ｇが生徒の顔を撮影自在にする。
そして、所定時刻として授業開始時刻に、画像センサー１１０Ｇが生徒の顔を撮影し、タブレット端末１２０（アプリケーションソフトウェア）が、撮影した画像データを人工知能画像認識手段に伝え、瞬時にＡＰＩからフィードバック情報を受け取り、誰が出席しているかを推定して出欠席を所定のコンピュータ端末に通知したり、出欠席をデータとして記録してもよい。
【００４２】
この場合、生徒の顔の画像データを予め登録しておくことによって、人工知能画像認識手段が画像データに誰が映っているかを推定することができる。
そして、授業開始時刻から所定時間として例えば３０分経過した後に再度、画像センサー１１０Ｇが生徒の顔を撮影し、遅刻した生徒の有無を推定し、遅刻した生徒がいる場合は、その生徒が誰であるかを推定し、タブレット端末１２０（アプリケーションソフトウェア）が、遅刻した旨を所定のコンピュータ端末に通知したり、遅刻した旨をデータとして記録してもよい。
また、学校の教室の入り口に画像センサー１１０Ｇを設置して、教室に入ってくる生徒を動画撮影して、認証される人が意識せずとも認証される所謂、非積極的認証を行ってもよい。
画像の端から順に矩形領域で顔を探索し、顔と合致する領域をすべて抽出することで、複数人の同時認証を実現することができ、さらに、歩きながらの顔認証を行うことができる。
ここで、画像において、先ず、目、鼻、口などから顔の位置が検出され、次に、目、鼻、口などその人の顔のポイント（特徴点）が検出され、その特徴点をもとに特徴量を計算して、登録された人物と照合されて画像に写っている人物が誰であるかが推定される。
【００４３】
また、会社の従業員用の通用口に画像センサー１１０Ｇを設置して、入ってくる従業員の顔を１分ずつ動画で撮影して、誰が何時何分に出社し、出て行く従業員の顔を１分ずつ動画で撮影して、誰が何時何分に退社、外出したかを、タブレット端末１２０（アプリケーションソフトウェア）が、所定のコンピュータ端末に通知したり、データに記録してもよい。
またさらに、会社のオフィスに画像センサー１１０Ｇを設置して、所定時刻として始業時刻になったとき、画像センサー１１０Ｇがオフィスの従業員の顔を撮影し、人工知能画像認識手段が、誰が出勤しているかを推定し、タブレット端末１２０（アプリケーションソフトウェア）が、人工知能画像認識手段からのフィードバック情報に基づいて、所定のコンピュータ端末に通知したり、出勤者をデータとして記録してもよい。
そして、始業時刻から所定時間として例えば３０分経過した後に再度、画像センサー１１０Ｇがオフィスの従業員の顔を撮影し、遅刻した従業員の有無を推定し、遅刻した従業員がいる場合は、その従業員が誰であるかを推定し、タブレット端末１２０（アプリケーションソフトウェア）が、所定のコンピュータ端末に通知したり、遅刻した旨をデータとして記録してもよい。
【００４４】
また、倉庫に画像センサー１１０Ｇを設置して、所定時刻の一例として午後３：００に画像センサー１１０Ｇが倉庫においてある物を撮影し、人工知能画像認識手段が予め登録された画像データと比べて、物、およびその物の位置や個数の違いの有無を推定し、違いがある場合は、タブレット端末１２０（アプリケーションソフトウェア）が、その旨を管理者や担当者のコンピュータ端末に通知して、整理整頓を促すように構成してもよい。
またさらに、例えば、レンタル物品を取り扱う倉庫に画像センサー１１０Ｇを設置して、所定時刻として返却予定時刻に所定位置にあるはずのレンタル物品を撮影して、人工知能画像認識手段がレンタル物品の有無を推定するように構成してもよい。
【００４５】
このようにして得られた本発明の第３実施例である通知システム１００は、人工知能画像認識手段をさらに有し、所定のセンサーが、画像センサー１１０Ｇであり、制御端末が、所定時刻になったと判定した場合、画像センサー１１０Ｇにより撮影した画像データを人工知能画像認識手段へ伝え、人工知能画像認識手段からのフィードバック情報を受け取り、フィードバック情報が所定の条件を満たしている、または満たしていない場合、所定の連絡先へ所定の内容を通知する構成であることにより、在庫管理の用途の場合、重複発注や発注漏れなどの発注ミスを回避することができ、簡単に自動で発注させることができ、学校の出欠確認や会社の勤怠確認の用途の場合、出欠確認や勤怠確認を簡単に自動で行うことができるなど、その効果は甚大である。
【符号の説明】
【００４６】
１００  ・・・  通知システム
１１０Ａ・・・  ボタンセンサー
１１０Ｂ・・・  人感センサー（焦電センサー）
１１０Ｃ・・・  動きセンサー（加速度センサー、ジャイロセンサー）
１１０Ｄ・・・  照度センサー
１１０Ｅ・・・  温度・湿度センサー
１１０Ｆ・・・  外部接続拡張センサー
１１０Ｇ・・・  画像センサー（カメラ）
１２０  ・・・  タブレット端末（制御端末、通知・記録手段、音声センサー、スピーカ）
１２１  ・・・  表示画面
１２２  ・・・  内蔵画像センサー（カメラ）
ＭＲ    ・・・  会議室（部屋）
ＬＴ    ・・・  照明機器
ＢＸ    ・・・  （商品Ａの）包装箱
【図１】
2019146053.tif 000003
【図２】
2019146053.tif 000004
【図３】
2019146053.tif 000005
【図４】
2019146053.tif 000006